Podtech/llm-jp-corpus-v4-ja_patent huggingface dataset:
【手続補正書】
【提出日】平成25年5月31日(2013.5.31)
【手続補正１】
【補正対象書類名】特許請求の範囲
【補正対象項目名】請求項１
【補正方法】変更
【補正の内容】
【請求項１】
複数種類の図柄の変動開始から複数列の図柄の確定停止までを１回とする図柄変動ゲームを表示装置に表示し、前記図柄変動ゲームで図柄の変動開始から複数列の図柄の変動停止までを一回とする変動サイクルを複数回連続して実行させる連続演出が実行され、当りに当選した場合には前記連続演出を伴う図柄変動ゲームとして前記変動サイクルが確定回数連続して実行可能とされる遊技機において、
前記連続演出を伴う図柄変動ゲームの制御を実行し、該図柄変動ゲームの前記変動サイクル中、次の変動サイクルを継続して実行させるに際しては継続演出を伴わせるように制御する連続演出制御手段を備え、
前記連続演出制御手段は、
確定回数目直前よりも前の変動サイクルを開始させると、次の変動サイクルも継続させる場合、リーチ状態の成立とならない図柄を変動停止させて前記継続演出を実行させるときと、リーチ状態を成立させた後に前記継続演出を実行させるときがあり、
前記継続演出では、前記リーチ状態を成立させる図柄停止列以外の最終停止列に継続報知図柄を変動停止させるようになっており、
確定回数目直前の変動サイクルを開始させると、一旦、リーチ状態を成立させ、確定回数目の変動サイクルを継続させない場合、前記最終停止列に前記継続報知図柄を変動停止させずに前記リーチ状態に基づくリーチ演出へ移行させ、当該リーチ演出において大当りか否かを認識させる図柄を前記最終停止列に導出させる一方、確定回数目の変動サイクルを継続させる場合、前記リーチ状態を成立させた後に前記最終停止列に前記継続報知図柄を変動停止させ、その後に前記確定回数目の変動サイクルへと継続させることを特徴とする遊技機。
【手続補正２】
【補正対象書類名】特許請求の範囲
【補正対象項目名】請求項２
【補正方法】変更
【補正の内容】
【請求項２】
複数種類の図柄の変動開始から複数列の図柄の確定停止までを１回とする図柄変動ゲームを表示装置に表示し、前記図柄変動ゲームで図柄の変動開始から複数列の図柄の変動停止までを一回とする変動サイクルを複数回連続して実行させる連続演出が実行され、当りに当選した場合には前記連続演出を伴う図柄変動ゲームとして前記変動サイクルが確定回数連続して実行可能とされる遊技機において、
前記連続演出を伴う図柄変動ゲームの制御を実行し、該図柄変動ゲームの前記変動サイクル中、次の変動サイクルを継続して実行させるに際しては継続演出を伴わせるように制御する連続演出制御手段を備え、
前記連続演出制御手段は、
確定回数目直前よりも前の変動サイクルを開始させると、次の変動サイクルも継続させる場合、リーチ状態の成立とならない図柄を変動停止させて前記継続演出を実行させるときと、リーチ状態を成立させた後に前記継続演出を実行させるときがあり、
確定回数目直前の変動サイクルを開始させると、一旦、リーチ状態を成立させ、確定回数目の変動サイクルを継続させない場合、該リーチ状態を維持させて大当りか否かを認識し得る最終図柄を導出させるリーチ演出へ移行させる一方、確定回数目の変動サイクルを継続させる場合、該リーチ状態を成立させた後に前記継続演出を実行させて該確定回数目の変動サイクルへと継続させることを特徴とする遊技機。
【手続補正３】
【補正対象書類名】明細書
【補正対象項目名】０００８
【補正方法】変更
【補正の内容】
【０００８】
上記目的を達成するために、請求項１に記載の発明は、複数種類の図柄の変動開始から複数列の図柄の確定停止までを１回とする図柄変動ゲームを表示装置に表示し、前記図柄変動ゲームで図柄の変動開始から複数列の図柄の変動停止までを一回とする変動サイクルを複数回連続して実行させる連続演出が実行され、当りに当選した場合には前記連続演出を伴う図柄変動ゲームとして前記変動サイクルが確定回数連続して実行可能とされる遊技機において、前記連続演出を伴う図柄変動ゲームの制御を実行し、該図柄変動ゲームの前記変動サイクル中、次の変動サイクルを継続して実行させるに際しては継続演出を伴わせるように制御する連続演出制御手段を備え、前記連続演出制御手段は、確定回数目直前よりも前の変動サイクルを開始させると、次の変動サイクルも継続させる場合、リーチ状態の成立とならない図柄を変動停止させて前記継続演出を実行させるときと、リーチ状態を成立させた後に前記継続演出を実行させるときがあり、前記継続演出では、前記リーチ状態を成立させる図柄停止列以外の最終停止列に継続報知図柄を変動停止させるようになっており、確定回数目直前の変動サイクルを開始させると、一旦、リーチ状態を成立させ、確定回数目の変動サイクルを継続させない場合、前記最終停止列に前記継続報知図柄を変動停止させずに前記リーチ状態に基づくリーチ演出へ移行させ、当該リーチ演出において大当りか否かを認識させる図柄を前記最終停止列に導出させる一方、確定回数目の変動サイクルを継続させる場合、前記リーチ状態を成立させた後に前記最終停止列に前記継続報知図柄を変動停止させ、その後に前記確定回数目の変動サイクルへと継続させることを要旨とする。
【手続補正４】
【補正対象書類名】明細書
【補正対象項目名】０００９
【補正方法】変更
【補正の内容】
【０００９】
請求項２に記載の発明は、複数種類の図柄の変動開始から複数列の図柄の確定停止までを１回とする図柄変動ゲームを表示装置に表示し、前記図柄変動ゲームで図柄の変動開始から複数列の図柄の変動停止までを一回とする変動サイクルを複数回連続して実行させる連続演出が実行され、当りに当選した場合には前記連続演出を伴う図柄変動ゲームとして前記変動サイクルが確定回数連続して実行可能とされる遊技機において、前記連続演出を伴う図柄変動ゲームの制御を実行し、該図柄変動ゲームの前記変動サイクル中、次の変動サイクルを継続して実行させるに際しては継続演出を伴わせるように制御する連続演出制御手段を備え、前記連続演出制御手段は、確定回数目直前よりも前の変動サイクルを開始させると、次の変動サイクルも継続させる場合、リーチ状態の成立とならない図柄を変動停止させて前記継続演出を実行させるときと、リーチ状態を成立させた後に前記継続演出を実行させるときがあり、確定回数目直前の変動サイクルを開始させると、一旦、リーチ状態を成立させ、確定回数目の変動サイクルを継続させない場合、該リーチ状態を維持させて大当りか否かを認識し得る最終図柄を導出させるリーチ演出へ移行させる一方、確定回数目の変動サイクルを継続させる場合、該リーチ状態を成立させた後に前記継続演出を実行させて該確定回数目の変動サイクルへと継続させることを要旨とする。
【手続補正書】
【提出日】平成25年6月28日(2013.6.28)
【手続補正１】
【補正対象書類名】特許請求の範囲
【補正対象項目名】請求項１
【補正方法】変更
【補正の内容】
【請求項１】
入賞検知手段に遊技球が入賞検知されたことを契機に、複数種類の図柄を変動させて行う図柄変動ゲームを表示する演出実行手段を備え、前記図柄変動ゲームにおいて予め定められた大当り表示結果が表示された場合には、特別入賞手段が開閉動作する大当り遊技が付与される遊技機において、
前記図柄変動ゲームが大当りになるか否かを判定する大当り判定手段と、
前記大当り判定手段の判定結果が肯定の場合、図柄変動ゲーム終了後に付与する大当り遊技の種類を決定し、決定した大当り遊技を付与する大当り遊技付与手段と、
前記大当り遊技付与手段が決定した大当り遊技の種類にしたがって、前記大当り遊技の終了後に、前記大当りになるか否かの判定結果が肯定となる確率を通常状態よりも高確率に変更する確変状態を付与する確変付与手段と、
確変状態中、確変状態であることを遊技者に示す確変モードを設定することができるモード設定手段と、
前記モード設定手段により確変モードが設定された場合、設定された確変モードに応じて、図柄変動ゲームに係わる遊技演出の内容を決定し、決定した内容で遊技演出を実行させる演出制御手段と、を備え、
前記モード設定手段は、前記確変モード中、予め決められた条件が成立した場合、設定する確変モードの種類を変更して、設定するように構成されており、
確変モードが設定される順番は、予め決められており、
前記大当り遊技付与手段は、前記大当り遊技終了後に確変状態が付与される可能性を示唆する通常大当り遊技を付与することができる一方、前記大当り遊技終了後に確変状態が付与されることを報知する確変大当り遊技を付与することができるように構成されており、
前記モード設定手段は、確変モード中、前記通常大当り遊技が付与された場合、当該通常大当り遊技終了後、確変状態が付与されている可能性を示唆する確変示唆モードを設定する一方、確変示唆モード中、前記確変大当り遊技が付与された場合、当該確変大当り遊技の終了後、前記確変示唆モードが設定される前に設定されていた種類の確変モードを再び設定することを特徴とする遊技機。
【手続補正２】
【補正対象書類名】明細書
【補正対象項目名】０００９
【補正方法】変更
【補正の内容】
【０００９】
上記目的を達成するために、請求項１に記載の発明は、入賞検知手段に遊技球が入賞検知されたことを契機に、複数種類の図柄を変動させて行う図柄変動ゲームを表示する演出実行手段を備え、前記図柄変動ゲームにおいて予め定められた大当り表示結果が表示された場合には、特別入賞手段が開閉動作する大当り遊技が付与される遊技機において、前記図柄変動ゲームが大当りになるか否かを判定する大当り判定手段と、前記大当り判定手段の判定結果が肯定の場合、図柄変動ゲーム終了後に付与する大当り遊技の種類を決定し、決定した大当り遊技を付与する大当り遊技付与手段と、前記大当り遊技付与手段が決定した大当り遊技の種類にしたがって、前記大当り遊技の終了後に、前記大当りになるか否かの判定結果が肯定となる確率を通常状態よりも高確率に変更する確変状態を付与する確変付与手段と、確変状態中、確変状態であることを遊技者に示す確変モードを設定することができるモード設定手段と、前記モード設定手段により確変モードが設定された場合、設定された確変モードに応じて、図柄変動ゲームに係わる遊技演出の内容を決定し、決定した内容で遊技演出を実行させる演出制御手段と、を備え、前記モード設定手段は、前記確変モード中、予め決められた条件が成立した場合、設定する確変モードの種類を変更して、設定するように構成されており、確変モードが設定される順番は、予め決められており、前記大当り遊技付与手段は、前記大当り遊技終了後に確変状態が付与される可能性を示唆する通常大当り遊技を付与することができる一方、前記大当り遊技終了後に確変状態が付与されることを報知する確変大当り遊技を付与することができるように構成されており、前記モード設定手段は、確変モード中、前記通常大当り遊技が付与された場合、当該通常大当り遊技終了後、確変状態が付与されている可能性を示唆する確変示唆モードを設定する一方、確変示唆モード中、前記確変大当り遊技が付与された場合、当該確変大当り遊技の終了後、前記確変示唆モードが設定される前に設定されていた種類の確変モードを再び設定することを要旨とする。
【手続補正書】
【提出日】平成25年6月28日(2013.6.28)
【手続補正１】
【補正対象書類名】特許請求の範囲
【補正対象項目名】請求項１
【補正方法】変更
【補正の内容】
【請求項１】
入賞検知手段に遊技球が入賞検知されたことを契機に、複数種類の図柄を変動させて行う図柄変動ゲームを表示する演出実行手段を備え、前記図柄変動ゲームにおいて予め定められた大当り表示結果が表示された場合には、特別入賞手段が開閉動作する大当り遊技が付与される遊技機において、
前記図柄変動ゲームが大当りになるか否かを判定する大当り判定手段と、
前記大当り判定手段の判定結果が肯定の場合、図柄変動ゲーム終了後に付与する大当り遊技の種類を決定し、決定した大当り遊技を付与する大当り遊技付与手段と、
前記大当り遊技付与手段が決定した大当り遊技の種類にしたがって、前記大当り遊技の終了後に、前記大当りになるか否かの判定結果が肯定となる確率を通常状態よりも高確率に変更する確変状態を付与する確変付与手段と、
確変状態中、確変状態であることを示す確変モードを設定することができるモード設定手段と、
前記モード設定手段により確変モードが設定された場合、設定された確変モードに応じて、図柄変動ゲームに係わる遊技演出の内容を決定し、決定した内容で遊技演出を実行させる演出制御手段と、を備え、
前記モード設定手段は、複数種類の確変モードの中から確変モードの種類を決定して、設定するように構成されており、
前記演出制御手段は、
第１確変モードが設定されているとき、前記大当り遊技付与手段が大当り遊技終了後に確変状態が付与されることを認識できる確変大当り遊技を付与することを決定した場合、及び前記大当り判定手段の判定結果が否定の場合のうちいずれかの場合に、図柄変動ゲームに係わる遊技演出の内容として、第１の演出内容にて遊技演出を実行させる一方、
第１確変モードが設定された後に設定される第２確変モードが設定されているとき、前記大当り遊技付与手段が前記確変大当り遊技を付与することを決定した場合、及び前記大当り判定手段の判定結果が否定の場合のうちいずれかの場合に、図柄変動ゲームに係わる遊技演出の内容として、第２の演出内容にて遊技演出を実行させることを特徴とする遊技機。
【手続補正２】
【補正対象書類名】明細書
【補正対象項目名】０００７
【補正方法】変更
【補正の内容】
【０００７】
上記目的を達成するために、請求項１に記載の発明は、入賞検知手段に遊技球が入賞検知されたことを契機に、複数種類の図柄を変動させて行う図柄変動ゲームを表示する演出実行手段を備え、前記図柄変動ゲームにおいて予め定められた大当り表示結果が表示された場合には、特別入賞手段が開閉動作する大当り遊技が付与される遊技機において、前記図柄変動ゲームが大当りになるか否かを判定する大当り判定手段と、前記大当り判定手段の判定結果が肯定の場合、図柄変動ゲーム終了後に付与する大当り遊技の種類を決定し、決定した大当り遊技を付与する大当り遊技付与手段と、前記大当り遊技付与手段が決定した大当り遊技の種類にしたがって、前記大当り遊技の終了後に、前記大当りになるか否かの判定結果が肯定となる確率を通常状態よりも高確率に変更する確変状態を付与する確変付与手段と、確変状態中、確変状態であることを示す確変モードを設定することができるモード設定手段と、前記モード設定手段により確変モードが設定された場合、設定された確変モードに応じて、図柄変動ゲームに係わる遊技演出の内容を決定し、決定した内容で遊技演出を実行させる演出制御手段と、を備え、前記モード設定手段は、複数種類の確変モードの中から確変モードの種類を決定して、設定するように構成されており、前記演出制御手段は、第１確変モードが設定されているとき、前記大当り遊技付与手段が大当り遊技終了後に確変状態が付与されることを認識できる確変大当り遊技を付与することを決定した場合、及び前記大当り判定手段の判定結果が否定の場合のうちいずれかの場合に、図柄変動ゲームに係わる遊技演出の内容として、第１の演出内容にて遊技演出を実行させる一方、第１確変モードが設定された後に設定される第２確変モードが設定されているとき、前記大当り遊技付与手段が前記確変大当り遊技を付与することを決定した場合、及び前記大当り判定手段の判定結果が否定の場合のうちいずれかの場合に、図柄変動ゲームに係わる遊技演出の内容として、第２の演出内容にて遊技演出を実行させることを要旨とする。
【手続補正書】
【提出日】平成25年5月31日(2013.5.31)
【手続補正１】
【補正対象書類名】特許請求の範囲
【補正対象項目名】全文
【補正方法】変更
【補正の内容】
【特許請求の範囲】
【請求項１】
複数種類の図柄を変動させて行う図柄変動ゲームを表示する演出実行手段と、入賞検知手段で遊技球が入賞検知されたことを契機に、大当りになるか否かの大当り判定を行う大当り判定手段と、を備え、前記大当り判定手段の判定結果が肯定の場合には図柄変動ゲームにおいて大当り表示結果が表示された後、特別入賞手段が開閉動作する大当り遊技が付与される遊技機において、
前記大当り遊技終了後に、前記大当り判定が肯定となる確率を通常状態よりも高確率に変更される確変状態を付与することができる確変付与手段と、
確変状態中、確変状態であることを示す確変モードを設定することができるモード設定手段と、
前記図柄変動ゲームに係わる遊技演出の内容を決定し、決定した内容で遊技演出を実行させる演出制御手段と、
遊技者が操作することができる演出用操作手段と、を備え、
前記演出制御手段は、
前記確変モード中に実行させることができる遊技演出の種類を示す選択肢を提示するとともに前記演出用操作手段の操作によって前記選択肢を選択させる選択演出を前記大当り判定が肯定されたことを契機に実行させ、前記演出用操作手段の操作結果をもとに選択された選択肢に対応する遊技演出を、前記確変モードが継続している期間の間、前記確変モード中に実行させることができ、
予め決められた出現条件が成立した場合、前記選択演出において選択することができる選択肢が増加することを特徴とする遊技機。
【請求項２】
確変モード中に予め決められたリーチ演出を経由して大当りとなる演出内容にて図柄変動ゲームが実行された場合、前記選択演出において選択することができる選択肢が増加することを特徴とする請求項１に記載の遊技機。
【請求項３】
確変モード中に所定回数の大当り遊技が付与された場合、前記選択演出において選択することができる選択肢が増加することを特徴とする請求項１又は請求項２に記載の遊技機。
【手続補正２】
【補正対象書類名】明細書
【補正対象項目名】０００７
【補正方法】変更
【補正の内容】
【０００７】
上記目的を達成するために、請求項１に記載の発明は、複数種類の図柄を変動させて行う図柄変動ゲームを表示する演出実行手段と、入賞検知手段で遊技球が入賞検知されたことを契機に、大当りになるか否かの大当り判定を行う大当り判定手段と、を備え、前記大当り判定手段の判定結果が肯定の場合には図柄変動ゲームにおいて大当り表示結果が表示された後、特別入賞手段が開閉動作する大当り遊技が付与される遊技機において、前記大当り遊技終了後に、前記大当り判定が肯定となる確率を通常状態よりも高確率に変更される確変状態を付与することができる確変付与手段と、確変状態中、確変状態であることを示す確変モードを設定することができるモード設定手段と、前記図柄変動ゲームに係わる遊技演出の内容を決定し、決定した内容で遊技演出を実行させる演出制御手段と、遊技者が操作することができる演出用操作手段と、を備え、前記演出制御手段は、前記確変モード中に実行させることができる遊技演出の種類を示す選択肢を提示するとともに前記演出用操作手段の操作によって前記選択肢を選択させる選択演出を前記大当り判定が肯定されたことを契機に実行させ、前記演出用操作手段の操作結果をもとに選択された選択肢に対応する遊技演出を、前記確変モードが継続している期間の間、前記確変モード中に実行させることができ、予め決められた出現条件が成立した場合、前記選択演出において選択することができる選択肢が増加することを要旨とする。
【手続補正３】
【補正対象書類名】明細書
【補正対象項目名】０００８
【補正方法】変更
【補正の内容】
【０００８】
請求項２に記載の発明は、請求項１に記載の発明において、確変モード中に予め決められたリーチ演出を経由して大当りとなる演出内容にて図柄変動ゲームが実行された場合、前記選択演出において選択することができる選択肢が増加することを要旨とする。
【手続補正４】
【補正対象書類名】明細書
【補正対象項目名】０００９
【補正方法】変更
【補正の内容】
【０００９】
請求項３に記載の発明は、請求項１又は請求項２に記載の発明において、確変モード中に所定回数の大当り遊技が付与された場合、前記選択演出において選択することができる選択肢が増加することを要旨とする。
【手続補正書】
【提出日】平成25年6月28日(2013.6.28)
【手続補正１】
【補正対象書類名】特許請求の範囲
【補正対象項目名】請求項１
【補正方法】変更
【補正の内容】
【請求項１】
始動口への入球検知を契機とした大当り判定の判定結果に基づき表示手段にて図柄変動ゲームを表示するとともに、前記図柄変動ゲーム中に、その図柄変動ゲームの結果として遊技者に有利な特典が付与される可能性を示す特典付与期待度を報知する特別遊技演出を実行する遊技機において、
前記図柄変動ゲーム中における第１実行時期に実行させる第１特別遊技演出の演出内容を第１演出内容群の中から決定するとともに、前記図柄変動ゲーム中における第２実行時期に実行させる第２特別遊技演出の演出内容を第２演出内容群の中から決定する演出内容決定手段と、
前記演出内容決定手段が決定した演出内容に基づき遊技演出実行手段を制御し、前記特別遊技演出を実行させる特別遊技演出制御手段と、を備え、
前記第１演出内容群には、特定演出内容を含み、前記第２演出内容群には、通常第２演出内容と、前記通常第２演出内容よりも高い特典付与期待度を設定した特別第２演出内容と、を含み、
前記演出内容決定手段は、前記第１特別遊技演出の演出内容として前記特定演出内容を含む演出内容を決定した場合には、前記第１特別遊技演出の演出内容として前記特定演出内容を含まない演出内容を決定した場合と比較して、前記第２特別遊技演出の演出内容として、前記特別第２演出内容を決定し難く、
前記特典付与期待度は、前記特典として大当り遊技が付与される可能性を示す大当り期待度であり、
前記特定演出内容には、前記大当り判定の判定結果が肯定の場合にのみ決定可能な特殊演出内容を除く演出内容の中で最も高い大当り期待度が設定されている遊技機。
【手続補正２】
【補正対象書類名】特許請求の範囲
【補正対象項目名】請求項２
【補正方法】変更
【補正の内容】
【請求項２】
前記演出内容決定手段は、前記第１特別遊技演出の演出内容として前記特定演出内容を含まない演出内容を決定した場合には、その決定した演出内容に応じた決定率により前記第２特別遊技演出の演出内容を決定する請求項１に記載の遊技機。
【手続補正３】
【補正対象書類名】明細書
【補正対象項目名】０００７
【補正方法】変更
【補正の内容】
【０００７】
上記問題点を解決するために、請求項１の発明は、始動口への入球検知を契機とした大当り判定の判定結果に基づき表示手段にて図柄変動ゲームを表示するとともに、前記図柄変動ゲーム中に、その図柄変動ゲームの結果として遊技者に有利な特典が付与される可能性を示す特典付与期待度を報知する特別遊技演出を実行する遊技機において、前記図柄変動ゲーム中における第１実行時期に実行させる第１特別遊技演出の演出内容を第１演出内容群の中から決定するとともに、前記図柄変動ゲーム中における第２実行時期に実行させる第２特別遊技演出の演出内容を第２演出内容群の中から決定する演出内容決定手段と、前記演出内容決定手段が決定した演出内容に基づき遊技演出実行手段を制御し、前記特別遊技演出を実行させる特別遊技演出制御手段と、を備え、前記第１演出内容群には、特定演出内容を含み、前記第２演出内容群には、通常第２演出内容と、前記通常第２演出内容よりも高い特典付与期待度を設定した特別第２演出内容と、を含み、前記演出内容決定手段は、前記第１特別遊技演出の演出内容として前記特定演出内容を含む演出内容を決定した場合には、前記第１特別遊技演出の演出内容として前記特定演出内容を含まない演出内容を決定した場合と比較して、前記第２特別遊技演出の演出内容として、前記特別第２演出内容を決定し難く、前記特典付与期待度は、前記特典として大当り遊技が付与される可能性を示す大当り期待度であり、前記特定演出内容には、前記大当り判定の判定結果が肯定の場合にのみ決定可能な特殊演出内容を除く演出内容の中で最も高い大当り期待度が設定されていることを要旨とする。
【手続補正４】
【補正対象書類名】明細書
【補正対象項目名】０００８
【補正方法】変更
【補正の内容】
【０００８】
請求項２に記載の発明は、請求項１に記載の遊技機において、前記演出内容決定手段は、前記第１特別遊技演出の演出内容として前記特定演出内容を含まない演出内容を決定した場合には、その決定した演出内容に応じた決定率により前記第２特別遊技演出の演出内容を決定することを要旨とする。
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
表示装置で行われる図柄変動ゲームが当りか否かを抽選する当り抽選が行われ、前記当り抽選に当選した場合には前記図柄変動ゲームの終了後に入賞手段を開放する当り遊技が行われ、前記当り遊技の終了後に前記当り抽選の抽選確率状態を高確率抽選状態に制御可能であって、前記当りの当選を契機としてはモード中演出を伴って前記高確率抽選状態である可能性があることが遊技者に報知される潜伏演出モードを設定可能な遊技機において、
前記潜伏演出モードの設定中の間、複数回の図柄変動ゲームに跨ってモード中演出を実行させるモード中演出実行手段と、
前記潜伏演出モードを設定し、該潜伏演出モードの設定中の間、前記モード中演出実行手段を制御し、前記潜伏演出モードの設定の契機とは異なる特定条件の成立を契機に、前記モード中演出の演出内容を変化させる演出制御手段と、を備え、
前記特定条件は、前記潜伏演出モード中に前記当り抽選に当選しなかった場合の前記図柄変動ゲームにおいて特定の予告演出が実行されることを契機に成立し、
前記演出制御手段は、前記潜伏演出モードの設定中、モード終了条件が成立する場合には前記モード中演出を終了させて前記潜伏演出モードを終了させる一方、該潜伏演出モードの終了後には再設定条件が成立する場合には前記潜伏演出モードを再設定し、該再設定に際しては直前の前記潜伏演出モードの終了時の前記モード中演出の演出内容を引き継いで再設定させ、
前記潜伏演出モードは、前記当り抽選に当選したことを契機に設定される一方で、前記当り抽選に当選しない場合に前記再設定条件が成立したことを契機に再設定されることを特徴とする遊技機。
【請求項２】
前記潜伏演出モードは、前記高確率抽選状態である可能性が互いに異なる複数種類を含み、前記潜伏演出モードの再設定を含んだ設定に際しては前記高確率抽選状態である可能性を報知する設定モード種類演出を伴って設定され、
前記演出制御手段は、前記モード中演出に関しては前記再設定の条件の成立を契機とする前記潜伏演出モードの設定に際し、前記設定モード種類演出の種類に関係なく直前の前記潜伏演出モードの終了時の前記モード中演出の演出内容を引き継いで再設定させる請求項１に記載の遊技機。
【請求項３】
前記演出制御手段は、前記潜伏演出モードの再設定に際し、前記高確率抽選状態でなければ直前の前記潜伏演出モードの終了から所定回数の図柄変動ゲームが行われるまでにおいて前記潜伏演出モードの再設定を可能にする一方、前記高確率抽選状態であれば直前の前記潜伏演出モードの終了から前記所定回数を超えても再設定を可能にする請求項１又は請求項２に記載の遊技機。
【請求項４】
前記潜伏演出モードの終了に際し、該終了時の前記モード中演出の演出内容を記憶する演出記憶手段を備え、
前記演出制御手段は、前記潜伏演出モードの再設定に際し、直前の前記潜伏演出モードの終了から前記所定回数内の再設定であれば前記演出記憶手段の記憶内容に基づいた演出内容で前記モード中演出を伴わせる一方、直前の前記潜伏演出モードの終了から前記所定回数を超えての再設定であれば前記演出記憶手段の記憶内容を消去した状態で再設定させる請求項３に記載の遊技機。
【手続補正２】
【補正対象書類名】明細書
【補正対象項目名】０００８
【補正方法】変更
【補正の内容】
【０００８】
上記目的を達成するために、請求項１に記載の発明は、表示装置で行われる図柄変動ゲームが当りか否かを抽選する当り抽選が行われ、前記当り抽選に当選した場合には前記図柄変動ゲームの終了後に入賞手段を開放する当り遊技が行われ、前記当り遊技の終了後に前記当り抽選の抽選確率状態を高確率抽選状態に制御可能であって、前記当りの当選を契機としてはモード中演出を伴って前記高確率抽選状態である可能性があることが遊技者に報知される潜伏演出モードを設定可能な遊技機において、前記潜伏演出モードの設定中の間、複数回の図柄変動ゲームに跨ってモード中演出を実行させるモード中演出実行手段と、前記潜伏演出モードを設定し、該潜伏演出モードの設定中の間、前記モード中演出実行手段を制御し、前記潜伏演出モードの設定の契機とは異なる特定条件の成立を契機に、前記モード中演出の演出内容を変化させる演出制御手段と、を備え、前記特定条件は、前記潜伏演出モード中に前記当り抽選に当選しなかった場合の前記図柄変動ゲームにおいて特定の予告演出が実行されることを契機に成立し、前記演出制御手段は、前記潜伏演出モードの設定中、モード終了条件が成立する場合には前記モード中演出を終了させて前記潜伏演出モードを終了させる一方、該潜伏演出モードの終了後には再設定条件が成立する場合には前記潜伏演出モードを再設定し、該再設定に際しては直前の前記潜伏演出モードの終了時の前記モード中演出の演出内容を引き継いで再設定させ、前記潜伏演出モードは、前記当り抽選に当選したことを契機に設定される一方で、前記当り抽選に当選しない場合に前記再設定条件が成立したことを契機に再設定されることを要旨とする。
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】変更
【補正の内容】
【００１１】
請求項３に記載の発明は、請求項１又は請求項２に記載の遊技機において、前記演出制御手段は、前記潜伏演出モードの再設定に際し、前記高確率抽選状態でなければ直前の前記潜伏演出モードの終了から所定回数の図柄変動ゲームが行われるまでにおいて前記潜伏演出モードの再設定を可能にする一方、前記高確率抽選状態であれば直前の前記潜伏演出モードの終了から前記所定回数を超えても再設定を可能にすることを要旨とする。
【手続補正５】
【補正対象書類名】明細書
【補正対象項目名】００１２
【補正方法】変更
【補正の内容】
【００１２】
請求項４に記載の発明は、請求項３に記載の遊技機において、前記潜伏演出モードの終了に際し、該終了時の前記モード中演出の演出内容を記憶する演出記憶手段を備え、前記演出制御手段は、前記潜伏演出モードの再設定に際し、直前の前記潜伏演出モードの終了から前記所定回数内の再設定であれば前記演出記憶手段の記憶内容に基づいた演出内容で前記モード中演出を伴わせる一方、直前の前記潜伏演出モードの終了から前記所定回数を超えての再設定であれば前記演出記憶手段の記憶内容を消去した状態で再設定させることを要旨とする。
【手続補正６】
【補正対象書類名】明細書
【補正対象項目名】０２１１
【補正方法】変更
【補正の内容】
【０２１１】
（イ）前記演出制御手段は、前記高確率抽選状態であるか否かに関係なく前記特定条件の成立割合を同一割合に定めた。
【手続補正書】
【提出日】平成25年3月13日(2013.3.13)
【手続補正１】
【補正対象書類名】明細書
【補正対象項目名】発明の名称
【補正方法】変更
【補正の内容】
【発明の名称】アルカリ賦活炭の製造装置
【手続補正２】
【補正対象書類名】明細書
【補正対象項目名】０００８
【補正方法】変更
【補正の内容】
【０００８】
本発明は以上のような従来のアルカリ賦活炭の製造装置における課題を考慮してなされたものであり、第一の目的は、トンネル炉内に異常が発生した場合に、トンネル炉内の賦活反応生成物、未反応物を、安全に炉外に排出することができるアルカリ賦活炭の製造装置を提供することにあり、第二の目的は、炉壁に付着したアルカリ金属化合物を効率良く除去し、安定してアルカリ賦活炭を製造することができるアルカリ賦活炭の製造装置を提供することにある。
【手続補正３】
【補正対象書類名】特許請求の範囲
【補正対象項目名】全文
【補正方法】変更
【補正の内容】
【特許請求の範囲】
【請求項１】
炭素材をアルカリ金属化合物で賦活することによりアルカリ賦活炭を製造するアルカリ賦活炭の製造装置において、
加熱手段と不活性ガス導入路を備え、原料仕込み後の容器が通過する間に脱水および上記炭素材の賦活反応が行われるトンネル炉と、
上記トンネル炉内に水蒸気を導入する水蒸気導入手段と、を有し、
上記水蒸気導入手段が上記トンネル炉の入口部及び中間部の少なくともいずれか一カ所に設けられていることを特徴とするアルカリ賦活炭の製造装置。
【請求項２】
上記水蒸気導入手段として、上記トンネル炉の筒軸方向に向けて配置された水蒸気ノズルを有する請求項１記載のアルカリ賦活炭の製造装置。
【請求項３】
上記トンネル炉の上記出口部に、第二の不活性ガス導入路が接続され、この第二の不活性ガス導入路に、上記水蒸気導入手段として、不活性ガス導入位置と水蒸気導入位置との間で流路を切り換える切換弁が介設されるとともに、この切換弁の水蒸気導入位置に水蒸気導入路が接続されている請求項１記載のアルカリ賦活炭の製造装置。
【請求項４】
上記トンネル炉の上記中間部に、上記不活性ガス導入路が接続され、この不活性ガス導入路に、上記水蒸気導入手段として、不活性ガス導入位置と水蒸気導入位置との間で流路を切り換える切換弁が上記不活性ガス導入路に介設されるとともに、この切換弁の水蒸気導入位置に水蒸気導入路が接続されている請求項１または３記載のアルカリ賦活炭の製造装置。
【手続補正書】
【提出日】平成25年9月30日(2013.9.30)
【手続補正１】
【補正対象書類名】明細書
【補正対象項目名】００１３
【補正方法】変更
【補正の内容】
【００１３】
一方、主軸４は、軸心部に円柱状の収納空間を有し、外周面が軸受３、３・・に支持される外側部材４ａと、外側部材４ａの収納空間内に内装される円柱状の内側部材４ｂとからなる二重構造となっており、この外側部材４ａと内側部材４ｂとの間に螺旋溝流路１５ａと螺旋溝流路１５ｂとが連続して形成されている。各螺旋溝流路１５ａ、１５ｂは、内側部材４ｂの外周面に径方向へ螺旋状に突設された突条部間が外側部材４ａに覆われることによって形成されており、主軸４の前側の螺旋溝流路１５ａは螺旋方向が時計回り方向となる右ねじ螺旋溝とされている一方、主軸４の後側の螺旋溝流路１５ｂは螺旋方向が反時計回り方向となる左ねじ螺旋溝とされている（すなわち突条部の螺旋方向が内側部材４ｂの前部と後部とで逆方向となっている）。また、螺旋溝流路１５ａと螺旋溝流路１５ｂとのリード（突条部の軸方向での間隔）、条数、及び軸方向長さは同じとされている。さらに、螺旋溝流路１５ｂの後端開口と対応する位置から回転継手９ａ、９ｂ及び継手ハウジング１１を貫通するように排出流路１６、１６が軸方向と平行に延設されている。
【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
基板を研磨パッドに摺接させて該基板を研磨する研磨装置において、
前記研磨パッドを支持する研磨テーブルと、
前記研磨テーブル上の前記研磨パッドに前記基板を押し付けるトップリングと、
前記研磨パッドの表面温度を調整するパッド温度調整機構とを備え、
前記パッド温度調整機構は、前記研磨パッドの表面に接触するパッド接触部材と、温度調整された液体を前記パッド接触部材に供給する液体供給システムとを有し、
前記パッド接触部材は、その内部に空間を有し、該空間は仕切りによって第１の液体流路と第２の液体流路とに分けられ、
前記第１の液体流路と前記第２の液体流路は、直列に接続されており、
前記第１の液体流路は、前記液体供給システムに接続された液体流入口に連通し、
前記第２の液体流路は、前記液体供給システムに接続された液体流出口に連通し、
前記第１の液体流路と前記第２の液体流路には、前記研磨テーブルの半径方向に対して略垂直に延びる少なくとも１つのバッフルがそれぞれ配置されていることを特徴とする研磨装置。
【請求項２】
前記少なくとも１つのバッフルは、互いに平行に配置された複数のバッフルであることを特徴とする請求項１に記載の研磨装置。
【請求項３】
前記少なくとも１つのバッフルは、前記仕切りに対して略垂直に延びることを特徴とする請求項１または２に記載の研磨装置。
【請求項４】
前記少なくとも１つのバッフルは、交互に位置をずらして配置された複数のバッフルであり、前記複数のバッフルにより、前記第１の液体流路および前記第２の液体流路はジグザグ流路を構成することを特徴とする請求項１乃至３のいずれか一項に記載の研磨装置。
【請求項５】
研磨パッド中心側に位置する前記ジグザグ流路の幅は、研磨パッド外周側に位置する前記ジグザグ流路の幅よりも広いことを特徴とする請求項４に記載の研磨装置。
【請求項６】
前記液体流入口および前記液体流出口は、前記研磨パッドの外周側部位の上方に位置することを特徴とする請求項１乃至５のいずれか一項に記載の研磨装置。
【請求項７】
前記パッド接触部材は、前記研磨パッドに接触する板部材と、前記仕切りを有する流路形成部材とを有することを特徴とする請求項１乃至６のいずれか一項に記載の研磨装置。
【請求項８】
前記第１の液体流路および前記第２の液体流路を形成する前記流路形成部材の内面は、断熱材で覆われていることを特徴とする請求項７に記載の研磨装置。
【請求項９】
前記パッド接触部材は、前記研磨パッドに接触する接触面および前記仕切りを有する流路形成部材と、前記流路形成部材を覆う板部材とを備えたことを特徴とする請求項１乃至６のいずれか一項に記載の研磨装置。
【請求項１０】
前記仕切りは、前記研磨テーブルの半径方向に延びていることを特徴とする請求項１乃至９のいずれか一項に記載の研磨装置。
【請求項１１】
前記パッド温度調整機構は、前記パッド接触部材を昇降させる昇降機構と、前記パッド接触部材を前記研磨パッドの上方にある所定の上昇位置と前記研磨テーブルの半径方向外側にある所定の退避位置との間で移動させる移動機構とをさらに備えたことを特徴とする請求項１乃至１０のいずれか一項に記載の研磨装置。
【請求項１２】
前記パッド温度調整機構は、前記パッド接触部材を洗浄する洗浄機構をさらに備えたことを特徴とする請求項１乃至１１のいずれか一項に記載の研磨装置。
【請求項１３】
基板を研磨パッドに摺接させて該基板を研磨する研磨装置において、
前記研磨パッドを支持する研磨テーブルと、
前記研磨テーブル上の前記研磨パッドに前記基板を押し付けるトップリングと、
前記研磨パッドの表面温度を調整するパッド温度調整機構とを備え、
前記パッド温度調整機構は、前記研磨パッドの表面に接触するパッド接触部材と、温度調整された液体を前記パッド接触部材に供給する液体供給システムとを有し、
前記パッド接触部材は、その内部に液体流路を有しており、
前記液体流路は、前記液体供給システムに接続された液体流入口および液体流出口に連通しており、
前記液体流路には、前記研磨テーブルの半径方向に対して略垂直に延びる少なくとも１つのバッフルが配置されていることを特徴とする研磨装置。
【請求項１４】
前記少なくとも１つのバッフルは、互いに平行に配置された複数のバッフルであることを特徴とする請求項１３に記載の研磨装置。
【請求項１５】
前記少なくとも１つのバッフルは、交互に位置をずらして配置された複数のバッフルであり、前記複数のバッフルにより、前記液体流路はジグザグ流路を構成することを特徴とする請求項１３または１４に記載の研磨装置。
【請求項１６】
前記液体流入口は、前記研磨パッドの外周側部位の上方に配置されており、前記液体流出口は、前記研磨パッドの中心側部位の上方に配置されていることを特徴とする請求項１３乃至１５のいずれか一項に記載の研磨装置。
【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
被加工材を載置可能なベース部と、
電動機を収納し、前記電動機の駆動により回動する丸鋸刃を回動可能に支持する丸鋸部と、
前記丸鋸刃の軸方向と平行な揺動軸を支点として該丸鋸部を所定の最上方位置と、所定の最下方位置との間で揺動可能に支持する支持部材と、
前記丸鋸刃の軸方向と直交すると共に、前記ベース部上面に対して平行に延びる傾動軸を支点として傾動し、前記丸鋸刃の側面を、前記ベース部上面に対して垂直な位置から両方向に傾動可能なホルダと、
前記ホルダに固定されると共に、前記ホルダから前記ベース部側に延在するガイドバーとを有し、
前記支持部材を前記ガイドバーに沿って摺動可能とした卓上切断機において、
前記ホルダから前記ベース部側に延在し、前記ガイドバーの任意の位置に前記支持部材を固定することにより、前記支持部材を前記ベース部上方の位置で固定可能にする第１の固定手段と、
前記丸鋸刃を最下方に揺動した状態で、前記丸鋸部の揺動を固定する第２の固定手段と、
前記丸鋸部に設けられ、前記丸鋸刃が最下方に揺動した際に、前記ガイドバーとほぼ平行になると共に把持部が前記電動機と前記ホルダとの間に配置されるサブハンドルと、
を備えたことを特徴とする卓上切断機。
【請求項２】
前記ガイドバーは、２本のガイドバーからなり、前記２本のガイドバーの前記ホルダと反対側の端面には両者と係合する係合部材が設けられ、前記２本のガイドバーの軸心を結ぶ平面が前記丸鋸刃側面に対向するように配置されていることを特徴とする請求項１記載の卓上切断機。
【手続補正２】
【補正対象書類名】明細書
【補正対象項目名】０００９
【補正方法】変更
【補正の内容】
【０００９】
上記の目的を達成するために本発明は、被加工材を載置可能なベース部と、電動機を収納し、前記電動機の駆動により回動する丸鋸刃を回動可能に支持する丸鋸部と、前記丸鋸刃の軸方向と平行な揺動軸を支点として該丸鋸部を所定の最上方位置と、所定の最下方位置との間で揺動可能に支持する支持部材と、前記丸鋸刃の軸方向と直交すると共に、前記ベース部上面に対して平行に延びる傾動軸を支点として傾動し、前記丸鋸刃の側面を、前記ベース部上面に対して垂直な位置から両方向に傾動可能なホルダと、前記ホルダに固定されると共に、前記ホルダから前記ベース部側に延在するガイドバーとを有し、前記支持部材を前記ガイドバーに沿って摺動可能とした卓上切断機において、前記ホルダから前記ベース部側に延在し、前記ガイドバーの任意の位置に前記支持部材を固定することにより、前記支持部材を前記ベース部上方の位置で固定可能にする第１の固定手段と、前記丸鋸刃を最下方に揺動した状態で、前記丸鋸部の揺動を固定する第２の固定手段と、前記丸鋸部に設けられ、前記丸鋸刃が最下方に揺動した際に、前記ガイドバーとほぼ平行になると共に把持部が前記電動機と前記ホルダとの間に配置されるサブハンドルとを備えたことに一つの特徴を有する。
【手続補正書】
【提出日】平成25年3月5日(2013.3.5)
【手続補正１】
【補正対象書類名】明細書
【補正対象項目名】発明の名称
【補正方法】変更
【補正の内容】
【発明の名称】酸化物触媒の製造方法及び気体中の有機物成分の分解方法
【手続補正２】
【補正対象書類名】明細書
【補正対象項目名】０００１
【補正方法】変更
【補正の内容】
【０００１】
本発明は、酸化物触媒の製造方法及び気体中の有機物成分の分解方法に関し、更に詳しくは、酸化物触媒本来の分解性能を阻害することなく、気体中の揮発性有機化合物（ＶＯＣ：volatile organic compound）蒸気、有機物ミスト、有機物微粒子等の有機物成分を効果的に分解処理することが可能な酸化物触媒の製造方法、この酸化物触媒の製造方法により得られた酸化物触媒を用いることにより気体中の有機物成分を効果的に分解処理することが可能な気体中の有機物成分の分解方法に関するものである。
【手続補正３】
【補正対象書類名】明細書
【補正対象項目名】０００７
【補正方法】変更
【補正の内容】
【０００７】
本発明は、上記の課題を解決するためになされたものであって、酸化物触媒本来の分解性能を阻害することなく、気体中の揮発性有機化合物蒸気、有機物ミスト、有機物微粒子等の有機物成分を効果的に分解処理することができる酸化物触媒の製造方法、及び、この酸化物触媒の製造方法により得られた酸化物触媒を用いた気体中の有機物成分の分解方法を提供することを目的とする。
【手続補正４】
【補正対象書類名】明細書
【補正対象項目名】０００９
【補正方法】変更
【補正の内容】
【０００９】
すなわち、本発明の酸化物触媒の製造方法は、有機物成分を分解する酸化物触媒の製造方法であって、支持体の表面に、金属粒子の高速噴射により金属被膜または金属原子の低次酸化物被膜を形成する工程と、前記金属被膜または前記低次酸化物被膜に、湿潤水素による酸化処理または酸素雰囲気中での熱酸化処理を施し、酸化物半導体被膜とする工程と、を有することを特徴とする。
【手続補正５】
【補正対象書類名】明細書
【補正対象項目名】００１０
【補正方法】変更
【補正の内容】
【００１０】
この酸化物触媒の製造方法では、前記支持体は、酸化アルミニウム、酸化ジルコニウム、酸化ケイ素のいずれかからなるセラミックスであり、前記有機物成分は、揮発性有機化合物、有機ミスト、有機微粒子のいずれかからなり、前記金属は、チタン、亜鉛、ジルコニウム、クロム、鉄、スズ、ニッケル、マンガン、コバルトの群から選択される１種からなる金属またはこれらの金属を成分とする合金であることが好ましい。
【手続補正６】
【補正対象書類名】明細書
【補正対象項目名】００１１
【補正方法】変更
【補正の内容】
【００１１】
本発明の気体中の有機物成分の分解方法は、本発明の酸化物触媒の製造方法により得られた酸化物触媒を用い、酸化物半導体の熱励起を利用して気体中の有機物成分を分解する方法であって、前記酸化物触媒を加熱し、この加熱した酸化物触媒に前記有機物成分を含有する気体を通過させて前記有機物成分を分解することを特徴とする。
【手続補正７】
【補正対象書類名】明細書
【補正対象項目名】００１２
【補正方法】変更
【補正の内容】
【００１２】
この気体中の有機物成分の分解方法では、前記有機物成分は、揮発性有機化合物であり、この揮発性有機化合物を前記酸化物触媒により分解処理することが好適に適用可能である。
【手続補正８】
【補正対象書類名】明細書
【補正対象項目名】００１３
【補正方法】変更
【補正の内容】
【００１３】
本発明の酸化物触媒の製造方法によれば、支持体の表面に、金属粒子の高速噴射により金属被膜または金属原子の低次酸化物被膜を形成する工程と、前記金属被膜または前記低次酸化物被膜に、湿潤水素による酸化処理または酸素雰囲気中での熱酸化処理を施し、酸化物半導体被膜とする工程と、を有するので、酸化物触媒本来の分解性能を阻害することなく、気体中の有機物成分を効果的に分解処理することができる酸化物触媒を得ることができる。
【手続補正９】
【補正対象書類名】明細書
【補正対象項目名】００１４
【補正方法】変更
【補正の内容】
【００１４】
本発明の気体中の有機物成分の分解方法によれば、本発明の酸化物触媒の製造方法により得られた酸化物触媒を加熱し、この加熱した酸化物触媒に有機物成分を含有する気体を通過させて前記有機物成分を分解するので、塗装、印刷、石油化学等の工場あるいはクリーニング、給油等の施設の排気に含まれる揮発性有機化合物等の光化学スモッグ原因物質、さらには建物内の空気中のシックハウス原因物質、悪臭成分等を、簡単な構成で、しかも安価かつ効果的に分解処理することができ、建物内外の環境改善に大きく貢献することができる。
【手続補正１０】
【補正対象書類名】明細書
【補正対象項目名】００１６
【補正方法】変更
【補正の内容】
【００１６】
本発明の酸化物触媒の製造方法及び気体中の有機物成分の分解方法を実施するための形態について説明する。
なお、この形態は、発明の趣旨をより良く理解させるために具体的に説明するものであり、特に指定のない限り、本発明を限定するものではない。
【手続補正１１】
【補正対象書類名】明細書
【補正対象項目名】００１７
【補正方法】変更
【補正の内容】
【００１７】
まず、本発明の酸化物触媒の製造方法により得られた酸化物触媒について説明する。
この酸化物触媒は、酸化物半導体の熱励起を利用した酸化物触媒であり、次の（１）からなる酸化物触媒である。
（１）金属、セラミックス、炭素のいずれかからなる支持体の表面に、金属または低次酸化物を酸化処理してなる酸化物半導体被膜が形成された酸化物触媒。
ここで、低次酸化物とは、ＴｉＯ２に対するＴｉＯあるいはＳｎＯ２に対するＳｎＯのように、金属原子の酸化状態が低い（価数が低い）酸化物のことである。
【手続補正１２】
【補正対象書類名】特許請求の範囲
【補正対象項目名】全文
【補正方法】変更
【補正の内容】
【特許請求の範囲】
【請求項１】
有機物成分を分解する酸化物触媒の製造方法であって、
支持体の表面に、金属粒子の高速噴射により金属被膜または金属原子の低次酸化物被膜を形成する工程と、
前記金属被膜または前記低次酸化物被膜に、湿潤水素による酸化処理または酸素雰囲気中での熱酸化処理を施し、酸化物半導体被膜とする工程と、
を有することを特徴とする酸化物触媒の製造方法。
【請求項２】
前記支持体は、酸化アルミニウム、酸化ジルコニウム、酸化ケイ素のいずれかからなるセラミックスであり、
前記有機物成分は、揮発性有機化合物、有機ミスト、有機微粒子のいずれかからなり、
前記金属は、チタン、亜鉛、ジルコニウム、クロム、鉄、スズ、ニッケル、マンガン、コバルトの群から選択される１種からなる金属またはこれらの金属を成分とする合金であることを特徴とする請求項１記載の酸化物触媒の製造方法。
【請求項３】
請求項１または２記載の酸化物触媒の製造方法により得られた酸化物触媒を用い、酸化物半導体の熱励起を利用して気体中の有機物成分を分解する方法であって、
前記酸化物触媒を加熱し、この加熱した酸化物触媒に前記有機物成分を含有する気体を通過させて前記有機物成分を分解することを特徴とする気体中の有機物成分の分解方法。
【請求項４】
前記有機物成分は、揮発性有機化合物であることを特徴とする請求項３記載の気体中の有機物成分の分解方法。
【手続補正書】
【提出日】平成25年3月25日(2013.3.25)
【手続補正１】
【補正対象書類名】特許請求の範囲
【補正対象項目名】全文
【補正方法】変更
【補正の内容】
【特許請求の範囲】
【請求項１】
製造プロセスであって、
（ａ）第１の入口と第２の入口とを含むチャンバと、
（ｂ）前記チャンバ内のアノード構造体と、
（ｃ）前記チャンバ内のカソード構造体であって、前記カソード構造体が前記アノード構造体よりも負に帯電する、カソード構造体と、
（ｄ）前記カソード構造体上のウェファと
を備えており、前記アノード構造体の法線が前記カソード構造体の法線に対して垂直になるように配置されている装置において、前記製造プロセスが、
前記第１の入口を通じて前記チャンバ内にクリーニング・ガスを注入するステップと、
前記第２の入口を通じて前記チャンバ内に収集ガスを注入するステップと
を含み、
前記クリーニング・ガスはイオン化されたときに、前記ウェファの上面をエッチングして前記チャンバ内に副産物混合物をもたらす性質を有し、
前記収集ガスは、前記副産物混合物が前記ウェファの前記上面に再度堆積することを防止する性質を有する、
前記製造プロセス。
【請求項２】
前記アノード構造体が前記カソード構造体を挟むように近接して配置されている、請求項１に記載の製造プロセス。
【請求項３】
前記チャンバは、
前記チャンバの蓋として機能する曲がった頂表面によって閉ざされており、
底面によって閉ざされており、
前記頂表面と前記底面は側面により接続されている、請求項１又は２に記載の製造プロセス。
【請求項４】
前記アノード構造体が接地コネクタに接地されており、
前記カソード構造体が無線周波数源に電気的に接続されており、
その結果、前記カソード構造体が前記アノード構造体よりも負に帯電するようになる、請求項１〜３のいずれか一項に記載の製造プロセス。
【請求項５】
前記ウェハの誘導体層がシリコン窒化物（ＳｉｘＮｙ）を含む、請求項１〜４のいずれか一項に記載の製造プロセス。
【請求項６】
前記副産物混合物がＮ２、Ｓｉ、及びシリコン窒化物（ＳｉｘＮｙ）を含む、請求項５に記載の製造プロセス。
【請求項７】
前記収集ガスが、前記副産物混合物からのＳｉ３Ｎ４の形成を増強する性質を有する、請求項６に記載の製造プロセス。
【請求項８】
前記収集ガスがＮ２及びＮＦ３を含む、請求項５〜７のいずれか一項に記載の製造プロセス。
【請求項９】
前記ウェハの誘導体層が炭素含有誘電体材料を含む、請求項１〜４のいずれか一項に記載の製造プロセス。
【請求項１０】
前記副産物混合物が炭素及び炭素含有材料を含む、請求項９に記載の製造プロセス。
【請求項１１】
前記収集ガスが、前記炭素及び前記炭素含有材料と化学反応してガス生成物をもたらす性質を有する、請求項１０に記載の製造プロセス。
【請求項１２】
前記ガス生成物を前記チャンバからポンプで排気するステップをさらに含む、請求項１〜１１のいずれか一項に記載の製造プロセス。
【請求項１３】
前記収集ガスがイオン化された水素を含む、請求項１〜４のいずれか一項に記載の製造プロセス。
【請求項１４】
前記チャンバへの前記クリーニング・ガスの前記注入ステップ及び前記収集ガスの前記注入ステップが同時に行われる、請求項１〜１３のいずれか一項に記載の製造プロセス。
【請求項１５】
製造装置であって、
（ａ）チャンバと、
（ｂ）前記チャンバ内のアノード構造体と、
（ｃ）前記チャンバ内のカソード構造体であって、前記カソード構造体が前記アノード構造体よりも負に帯電する、カソード構造体と、
（ｄ）前記カソード構造体上のウェファと、
（ｅ）前記アノード構造体と前記カソード構造体との間に形成されるプラズマ領域と、
（ｆ）前記チャンバ内のクリーニング・ガスであって、イオン化されたときに、前記ウェファの上面をエッチングして前記チャンバ内に副産物混合物をもたらす性質を有する前記クリーニング・ガスと、
（ｇ）前記副産物混合物が前記ウェファの前記上面に再度堆積することを防止する性質を有する収集ガスと
を備えており、前記アノード構造体の法線が前記カソード構造体の法線に対して垂直になるように配置されている、前記製造装置。
【請求項１６】
前記アノード構造体が前記カソード構造体を挟むように近接して配置されている、請求項１５に記載の製造装置。
【請求項１７】
前記チャンバは、
前記チャンバの蓋として機能する曲がった頂表面によって閉ざされており、
底面によって閉ざされており、
前記頂表面と前記底面は側面により接続されている、請求項１５又は１６に記載の製造装置。
【請求項１８】
前記アノード構造体が接地コネクタに接地されており、
前記カソード構造体が無線周波数源に電気的に接続されており、
その結果、前記カソード構造体が前記アノード構造体よりも負に帯電するようになる、請求項１５〜１７のいずれか一項に記載の製造装置。
【請求項１９】
前記チャンバが、
前記チャンバ内に前記クリーニング・ガスを導入するための第１の入口と、
前記チャンバ内に前記収集ガスを導入するための第２の入口と
を備えている、請求項１５〜１８のいずれか一項に記載の製造装置。